(57)【要約】      （修正有）【課題】イオントフォレシス装置、イオントフォレシス方法およびこれを含む皮膚美容機器を提供する。【解決手段】イオントフォレシス装置１００であって、電源を供給する電源供給部１１０と、皮膚に接触時に前記皮膚側に電流を流して使用者の皮膚に塗布したイオン性薬物や有効性分を電気反発力によって皮膚に浸透させる二つの電極１２１，１２２と、使用者が一定の強度の電気刺激を感じることができるように、使用者の皮膚の状態に応じて前記電極１２１，１２２に印加する電圧および電流のうちいずれか一つの出力値を調節する制御部１３０と、を含む、イオントフォレシス装置。【選択図】図１
2020192386.tif 000002
【特許請求の範囲】
【請求項１】
電源を供給する電源供給部；
皮膚に接触時に前記皮膚側に電流を流して使用者の皮膚に塗布したイオン性薬物や有効性分を電気反発力によって皮膚に浸透させる二つの電極；および
使用者が一定の強度の電気刺激を感じることができるように、使用者の皮膚の状態に応じて前記電極に印加する電圧および電流のうちいずれか一つの出力値を調節する制御部；を含む、イオントフォレシス装置。
【請求項２】
前記制御部は、前記二つの電極と皮膚との接触の有無を確認して前記使用者の皮膚の状態を測定する感知部と、前記感知部を通じて測定された使用者の皮膚の状態を判断して全般の動作を制御する統合制御部および前記統合制御部で使用者の皮膚の状態によって出力される信号によって前記出力値を可変する出力発生部を含む、請求項１に記載のイオントフォレシス装置。
【請求項３】
前記出力発生部は、皮膚の表面の水分含有量、皮膚の厚さ、イオン性薬物や有効性分の有無および塗布されたイオン性薬物や有効性分の塗布厚さのうち少なくともいずれか一つによって可変される電圧値の変化量または電流値の変化量に基づいて前記出力値を調節する、請求項２に記載のイオントフォレシス装置。
【請求項４】
前記出力値は、前記電極に印加される電圧の大きさ、電流の大きさおよびパルス電流のデューティ比のうちいずれか一つが可変されて調節される、請求項３に記載のイオントフォレシス装置。
【請求項５】
前記制御部は、電源の印加時に前記感知部を通じて測定された電圧値または電流値の変化量が既設定された大きさ以上の場合、前記二つの電極と皮膚が接触したと判断してルックアップテーブルに保存された所定範囲の出力値を前記出力発生部を通じて出力する、請求項２に記載のイオントフォレシス装置。
【請求項６】
前記出力発生部を通じて出力される出力値は、前記感知部を通じて測定された電圧値の変化量または電流値の変化量と一対一にマッチングされる、請求項５に記載のイオントフォレシス装置。
【請求項７】
前記電極と皮膚との接触の有無を確認するために前記二つの電極に印加される電圧は、使用者の皮膚に塗布したイオン性薬物や有効性分を皮膚に浸透させるために前記二つの電極に印加される電圧よりも相対的に低い電圧である、請求項５に記載のイオントフォレシス装置。
【請求項８】
前記イオントフォレシス装置は、使用者の操作が可能なスイッチ部をさらに含み、
前記制御部は、前記スイッチ部の操作時に互いに異なる範囲の出力値を有する複数個の出力モードに変更される、請求項１に記載のイオントフォレシス装置。
【請求項９】
請求項１〜請求項８のいずれか一項に記載されたイオントフォレシス装置；および
所定の波長帯域を有する光を発生させて使用者の皮膚側に照射する少なくとも一つの光源；を含む、皮膚美容機器。
【請求項１０】
前記少なくとも一つの光源は、互いに異なる波長帯域を有する複数個の発光素子が一体に形成される、請求項９に記載の皮膚美容機器。
【請求項１１】
皮膚に接触時に前記皮膚側に電流を流して使用者の皮膚に塗布したイオン性薬物や有効
性分を電気反発力によって皮膚に浸透させるイオントフォレシス方法において、
使用者が一定の強度の電気刺激を感じることができるように、使用者の皮膚の状態に応じて前記皮膚と接触する少なくとも一つの電極に印加する電圧および電流のうちいずれか一つの出力値が調節される、イオントフォレシス方法。
【請求項１２】
前記出力値は、皮膚の表面の湿度状態、皮膚の厚さ、イオン性薬物や有効性分の有無および塗布されたイオン性薬物や有効性分の塗布厚さのうち少なくともいずれか一つによって可変される電圧値の変化量または電流値の変化量に基づいて調節する、請求項１１に記載のイオントフォレシス方法。
【請求項１３】
前記出力値は、前記電極に印加される電圧の大きさ、電流の大きさおよびパルス電流のデューティ比のうちいずれか一つが可変されて調節される、請求項１２に記載のイオントフォレシス方法。
【発明の詳細な説明】
【技術分野】
【０００１】
本発明はイオントフォレシス装置、イオントフォレシス方法およびこれを含む皮膚美容機器に関するものである。
【背景技術】
【０００２】
イオントフォレシスは、皮膚に微細電流が流れるようにして電荷を有する薬物や有効性分を電気反発力によって皮膚に浸透させることによって、皮膚の物質吸収を増大させる方法である。
すなわち、イオントフォレシスは皮膚の電気的な環境を強制的に変えることによって、既存の方法よりもはるかに能動的に薬物の浸透を増大させながらも注射よりははるかに非侵襲的な薬物投与方法である。
【０００３】
現在坑酸化と皮膚保護機能を有する化粧成分を皮膚に塗った後、皮膚と接触する電極に微細電流を流すことによって皮膚の周囲に電場を形成するように誘導する方式のイオントフォレシス装置が生産されている。
【０００４】
しかし、従来のイオントフォレシス装置は、強、中、弱のような強度の設定しかできないため、一定の大きさの電気刺激を加えることによって化粧成分が使用者の皮膚に浸透する形態で作動する。
【０００５】
このため、常に同一大きさの電気刺激が加えられることによって、使用者の皮膚の状態により使用者が感じる強度が変わる問題がある。
【０００６】
一方、人体の皮膚に所定の波長帯域を有するレーザー光を直接、間接的に皮膚に照射して皮膚の再生および活性を図るための小型の皮膚美容機器が開発されている。
【０００７】
しかし、従来の皮膚美容機器は全体的な部品の個数が多いため組立生産性が劣る問題がある。
【０００８】
また、従来の皮膚美容機器は皮膚の改善効果のために所定の波長を発生させる光源が備えられる場合、同じ波長を発生させる光源が使用された。このため、一つの機器を通じて得ることができる効果が制限された。
【０００９】
言い換えれば、皮膚疾患乃至トラブルの種類に応じて多様な範囲の波長を発生させる光源が必要であるが、一つの波長のみしか発生させることができないため、効果および効率性が劣る問題がある。
【００１０】
これを解決するために、互いに異なる波長を発生させる複数個の光源を含む皮膚美容機器が提案された。しかし、このような従来の皮膚美容機器に適用された光源も波長帯域が異なる複数個の光源を実装する方式であるため、光源の実装個数が増加せざるを得ず、波長帯域が異なる光源の個数を増加させる場合、基板上に実装される光源の個数もこれに比例して増加されざるを得ない問題がある。
【発明の概要】
【発明が解決しようとする課題】
【００１１】
本発明は前記のような点を勘案して案出したもので、使用者の皮膚の状態に合うように
出力値を適切に調節することによって、使用者が常に一定の強度の電気刺激を感じることができるイオントフォレシス装置、イオントフォレシス方法およびこれを含む皮膚美容機器を提供することにその目的がある。
【００１２】
また、本発明は全体部品のうち一部をインサート射出を通じて一体型に製作することによって異物が入り込む現象を防止し、組立生産性を高めることができる皮膚美容機器を提供することに他の目的がある。
【００１３】
さらに、本発明は一つの光源を通じて互いに異なる波長帯域の光を照射できるため、一つの機器を通じて多様な皮膚の改善効果を得ることができる、皮膚美容機器用光源およびこれを含む皮膚美容機器を提供することにまた他の目的がある。
【課題を解決するための手段】
【００１４】
前述した課題を解決するために本発明は、電源を供給する電源供給部；皮膚に接触時に前記皮膚側に電流を流して使用者の皮膚に塗布したイオン性薬物や有効性分を電気反発力によって皮膚に浸透させる二つの電極；および使用者が一定の強度の電気刺激を感じることができるように、使用者の皮膚の状態に応じて前記電極に印加する電圧および電流のうちいずれか一つの出力値を調節する制御部；を含む、イオントフォレシス装置を提供する。
【００１５】
また、本発明は、前述したイオントフォレシス装置；および所定の波長帯域を有する光を発生させて使用者の皮膚側に照射する少なくとも一つの光源；を含む皮膚美容機器を提供する。
【００１６】
また、本発明は皮膚に接触時に前記皮膚側に電流を流して使用者の皮膚に塗布したイオン性薬物や有効性分を電気反発力によって皮膚に浸透させるイオントフォレシス方法において、使用者が一定の強度の電気刺激を感じることができるように、使用者の皮膚の状態に応じて前記皮膚と接触する少なくとも一つの電極に印加する電圧および電流のうちいずれか一つの出力値が調節されるイオントフォレシス方法が提供される。
【００１７】
また、本発明は、内部空間を有するボディーと、前記ボディーの一側に配置されて電源の印加時に使用者の皮膚に電位差を発生させて皮膚の電気的環境を変化させる一対の接触電極および透光性部材を含むケース部；少なくとも一つの光源が実装された回路基板が一側に固定され、前記内部空間に挿入配置されるフレーム部；および前記フレーム部が着脱可能に結合され、前記内部空間の開放された下部を密閉できるように前記ケース部に結合されるキャップ部；を含む皮膚美容機器を提供する。
【００１８】
また、本発明は上面から所定の深さに凹んだ収容部が形成されるモールド体；一端部が前記収容部の底面に露出し、電源の供給時に互いに異なる極性でそれぞれ印加される複数個の第１電極および第２電極；前記複数個の第１電極および第２電極のうちいずれか一つの電極にそれぞれ個別的に実装され、他の電極とワイヤーを媒介として連結される複数個のＬＥＤ素子；および前記収容部に充填される封止材；を含み、前記複数個のＬＥＤ素子は互いに異なる波長帯域を有する皮膚美容機器用光源およびこれを含む皮膚美容機器を提供する。
【発明の効果】
【００１９】
本発明によると、使用者の皮膚の状態に合うように出力値を適切に調節することによって使用者が常に一定の強度の電気刺激を感じることができるため、電気刺激による痛みを予防することができる。
【００２０】
また、本発明によると、全体部品のうち一部をインサート射出を通じて一体型に製作するため、異物が入り込む現象を防止して組立生産性を高めることができる。
【００２１】
また、本発明によると、一つの光源を通じて互いに異なる波長帯域の光を照射できるため、一つの機器を通じて多様な皮膚の改善効果を同時に得ることができる。
【図面の簡単な説明】
【００２２】
【図１】本発明の一実施例に係るイオントフォレシス装置を示したブロック図。
【図２】本発明の一実施例に係るイオントフォレシス装置のアルゴリズムフローチャート。
【図３ａ】本発明の一実施例に係るイオントフォレシス装置においてパルス電流が印加される場合の出力値の電流波形図を示した図面であって、図３ａはパルス電流のデューティ比が３０％の場合の図面。
【図３ｂ】本発明の一実施例に係るイオントフォレシス装置においてパルス電流が印加される場合の出力値の電流波形図を示した図面であって、図３ｂはパルス電流のデューティ比が５０％の場合の図面。
【図３ｃ】本発明の一実施例に係るイオントフォレシス装置においてパルス電流が印加される場合の出力値の電流波形図を示した図面であって、図３ｃはパルス電流のデューティ比が７０％の場合の図面。
【図４】本発明の一実施例に係るイオントフォレシス装置が適用された皮膚美容機器を示した概略図。
【図５】図４の要部分離図。
【図６】図５を底面から見た図面。
【図７】キャップ部とケース部の結合関係を示した部分切開図。
【図８】本発明の一実施例に係る皮膚美容機器の内部結合状態を示した図面。
【図９】本発明の一実施例に係る皮膚美容機器で接触電極と透光性部材および弾性部材の配置関係を示した部分切開拡大図。
【図１０】本発明の一実施例に係る皮膚美容機器で透光性部材、接触電極およびボディーを強制的に分離した状態を示した図面。
【図１１】本発明の一実施例に係る皮膚美容機器でキャップ部とフレーム部との結合関係を示した図面。
【図１２】本発明の一実施例に係る皮膚美容機器で光源が実装された回路基板がフレーム部から分離された状態を示した図面。
【図１３】本発明の一実施例に係る皮膚美容機器でキャップ部とボタン部、メイン回路基板およびバッテリーが分離された状態を示した図面。
【図１４】本発明の一実施例に係る皮膚美容機器に適用されるキャップ部の底面を示した図面。
【図１５】本発明の一実施例に係る皮膚美容機器に適用され得る光源を示した概略図。
【図１６】図１５で複数個の電極とモールド体の配置関係を示した概略図。
【図１７】図１５の部分断面図。
【図１８】図４の部分切開図。
【図１９】本発明に係る皮膚美容機器に適用され得る光源と透光性部材の離隔関係を示した概念図。
【発明を実施するための形態】
【００２３】
以下、添付した図面を参照して本発明の実施例について本発明が属する技術分野で通常の知識を有する者が容易に実施できるように詳細に説明する。本発明は多様な異なる形態で具現することができ、ここで説明する実施例に限定されない。図面で本発明を明確に説明するために説明と関係のない部分は省略したし、明細書全体を通じて同一または類似す
る構成要素については同じ参照符号を付加する。
【００２４】
本発明の一実施例に係るイオントフォレシス装置１００は、図１に図示された通り、電源供給部１１０、二つの接触電極１２１、１２２および制御部１３０を含む。
【００２５】
前記二つの接触電極１２１、１２２は、電源の印加時に使用者の皮膚に電位差を発生させて皮膚の電気的環境を変化させることによって、イオン性薬物や有効性分の皮膚の透過を増加させるためのものである。
【００２６】
すなわち、前記二つの接触電極１２１、１２２はイオントフォレシスの機能を実現するためのものであって、前記電源供給部１１０から供給された電源を利用して、使用者の皮膚に電流が印加されると使用者の皮膚および二つの接触電極１２１、１２２が閉回路を構成することによって、イオンの移動が発生し得る。ここで、前記電源供給部１１０は公知のバッテリーであり得、本発明に係るイオントフォレシス装置１００が皮膚美容機器１０００に適用される場合、前記皮膚美容機器１０００を駆動するためのバッテリー（図５の１１０参照）であり得る。
【００２７】
一例として、使用者の皮膚にイオン性薬物や有効性分を塗布し、前記二つの接触電極１２１、１２２を使用者の皮膚に接触させた後に前記二つの接触電極１２１、１２２に電流を印加すると、使用者の皮膚に塗布したイオン性薬物や有効性分がイオン化されることによってイオン性薬物や有効性分が皮膚の粘膜を容易に通過して皮膚内の組織に浸透するイオン導入の効果が発生する。
【００２８】
この時、前記電源供給部１１０で供給された電源を利用して前記二つの接触電極１２１、１２２を介して使用者の皮膚に電流が流れる場合、使用者の皮膚の状態により使用者の皮膚に流れる電流量が変わり得る。したがって、同一大きさの電圧が二つの接触電極１２１、１２２に印加されても使用者が感じる電気刺激の強度も使用者の皮膚の状態により変わり得る。
【００２９】
これは、使用者の皮膚に含まれた水分の含有量や使用者の皮膚の厚さにより皮膚の抵抗の大きさが変わり得、イオントフォレシス機能のために使用者の皮膚の表面に塗布されたイオン性薬物や有効性分の塗布厚さにより変わり得るためである。
【００３０】
一例として、同一大きさの電圧を前記接触電極１２１、１２２に印加しても、使用者の皮膚が水分含有量の少ない乾燥した状態であるか、使用者の皮膚が厚い場合には使用者の皮膚が水分含有量の多い湿った状態であるか、使用者の皮膚が薄い場合に比べて、相対的に皮膚の抵抗が増加し得る。これに伴い、使用者の皮膚が水分含有量の少ない乾燥した状態であるか使用者の皮膚が厚い場合には、使用者の皮膚に流れる電流量が小さいため使用者が感じる電気刺激の強度は弱い可能性がある。その反対に、使用者の皮膚が水分含有量の多い湿った状態であるか使用者の皮膚が薄い場合には、前述した場合と比べて相対的に皮膚の抵抗が小さいため使用者の皮膚に流れる電流量が増加して使用者が感じる電気刺激の強度は相対的に強い可能性がある。
【００３１】
また、同一大きさの電圧を前記接触電極１２１、１２２に印加しても、使用者の皮膚に塗布したイオン性薬物や有効性分の塗布厚さが薄い場合には、イオン性薬物や有効性分の塗布厚さが厚い場合と比べてイオン性薬物や有効性分を通じて流れる電流量が相対的に減少し得る。したがって、使用者が感じる電気刺激の強度はイオン性薬物や有効性分の塗布厚さが厚い場合と比べて相対的に弱い可能性がある。その反対に、使用者の皮膚に塗布したイオン性薬物や有効性分の塗布厚さが厚い場合には、前述した場合と比べてイオン性薬物や有効性分を通じて流れる電流量が相対的に増加するため使用者が感じる電気刺激の強
度が相対的に強い可能性がある。
【００３２】
本発明では、使用者の皮膚の状態により前記接触電極１２１、１２２に印加する電圧および電流のうちいずれか一つの出力値を調節することによって、使用者が皮膚の状態にかかわらず、常に一定の強度の電気刺激を感じることができる。
【００３３】
ここで、前記使用者の皮膚の状態を決定する要因としては、使用者の皮膚の表面の水分含有量、前記接触電極１２１、１２２と接触する使用者の皮膚の厚さ、イオン性薬物または有効性分の有無およびイオン性薬物または有効性分の塗布厚さのうち少なくともいずれか一つであり得る。
【００３４】
一例として、前記出力値は前記接触電極１２１、１２２に印加される電圧の大きさ、電流の大きさおよびパルス電流のデューティ比（ｂ／ａ）のうちいずれか一つを可変することによって調節することができ、電源の印加時に前記二つの接触電極１２１、１２２と接触した使用者の皮膚の状態により可変する電圧値の変化量または電流値の変化量に基づいて、前記接触電極１２１、１２２に印加される電圧の大きさ、電流の大きさおよびパルス電流のデューティ比のうちいずれか一つを可変する方式であり得る。
【００３５】
このために、前記制御部１３０は使用者の皮膚の状態を測定する感知部１３１と、前記感知部１３１を通じて測定した使用者の皮膚の状態を判断して全般的な動作を制御する統合制御部１３３および前記統合制御部１３３から出力する信号により前記出力値を可変する出力発生部１３２を含むことができる。
【００３６】
ここで、前記制御部１３０は回路基板２４４の一面に実装されるチップセットの形態で具現され得、本発明に係るイオントフォレシス装置１００が皮膚美容機器１０００に適用される場合、前記皮膚美容機器１０００の全般的な駆動を制御する役割を同時に遂行することもできる。併せて、前記統合制御部１３３は前記使用者の皮膚の状態により可変する電圧値の変化量または電流値の変化量に基づいて前記出力発生部１３２から出力する出力値を算出することができる。
【００３７】
この時、前記感知部１３１は前記二つの接触電極１２１、１２２の間で測定される電圧値または電流値の大きさに基づいて、前記二つの接触電極１２１、１２２と使用者の皮膚の接触の有無を確認することもできる。
【００３８】
一例として、前記二つの接触電極１２１、１２２と皮膚が接触していない状態では電源の印加時に抵抗が無限大であるため電流の流れは発生せず、二つの接触電極１２１、１２２の間に印加される電圧も印加電圧と同一大きさを有することができる。
【００３９】
しかし、前記二つの接触電極１２１、１２２と皮膚が接触した状態では電源の印加時に使用者の皮膚に沿って電流が流れることによって、所定大きさの電流が測定されるか皮膚の抵抗による電圧降下が発生し得る。
【００４０】
このような原理に基づき、前記制御部１３０は電源の印加時に前記感知部１３１を通じて測定した電圧値または電流値の変化量が既設定された大きさ以上の場合には、前記二つの接触電極１２１、１２２と皮膚が接触したものと判断し、前記出力発生部１３２を通じて前記二つの接触電極１２１、１２２に所定大きさの出力値を印加することができる。
【００４１】
ここで、前記統合制御部１３３は、使用者の皮膚の状態により変化する電圧値または電流値の変化量がルックアップテーブルに保存されることによって、前記出力発生部１３２を通じて出力される電圧の大きさ、電流の大きさおよびパルス電流のデューティ比のうち
いずれか一つを可変することができ、前記ルックアップテーブルに保存された電圧値または電流値の変化量は前記感知部１３１を通じて測定した電圧値の変化量または電流値の変化量と一対一にマッチングされた情報であり得る。
【００４２】
一例として、前記制御部１３０は前記二つの接触電極１２１、１２２の間に印加される電圧が１Ｖ以上に変化する場合、前記接触電極１２１、１２２が使用者の皮膚に接触した状態であると判断し、前記接触電極１２１、１２２に所定大きさ（一例として、２５Ｖ）の電圧を印加することができる。
【００４３】
このような状態で、使用者の皮膚の状態により前記二つの接触電極１２１、１２２に印加される電圧の変化が１Ｖ以上に発生する場合、前記制御部１３０は前記感知部１３１を通じて測定した電圧値の変化量に基づいて前記統合制御部１３３で使用者の皮膚の状態を判断し、判断された使用者の皮膚の状態に合うように前記出力発生部１３２から２０〜２５Ｖの電圧が出力されるか可変抵抗を通じて前記皮膚側に流す電流の大きさを調節することができる。これを通じて、使用者は皮膚の状態にかかわらず、常に同一強度の電気刺激を感じることができる。
【００４４】
すなわち、使用者の皮膚の状態が湿っていて使用者の皮膚に沿って電流が円滑に流れることができる場合には、前記統合制御部１３３が前記出力発生部１３２から出力する出力電圧の大きさを２０Ｖまで減らして刺激の強度を弱くして出力することができ、使用者の皮膚の状態が乾燥していて使用者の皮膚に沿って流れる電流の量が相対的に小さい場合には、前記統合制御部１３３が前記出力発生部１３２から出力する出力電圧の大きさを２５Ｖまで増加させて刺激の強度を強くして出力することによって、使用者が皮膚の状態にかかわらず、常に一定の強度の刺激を感じることができる。
【００４５】
他の方式として、前記制御部１３０は前記二つの接触電極１２１、１２２の間に印加される電圧が１Ｖ以上に変化する場合、前記接触電極１２１、１２２が使用者の皮膚に接触した状態と判断し、前記接触電極１２１、１２２にデューティ比が３０％のパルス電流を印加することができる。
【００４６】
このような状態で、使用者の皮膚の状態により前記二つの接触電極１２１、１２２に印加される電圧の変化が発生する場合、前記制御部１３０は前記感知部１３１を通じて測定した電圧値の変化量に基づいて前記統合制御部１３３で使用者の皮膚の状態を判断し、判断された使用者の皮膚の状態に合うようにパルス電流のデューティ比が２５〜３５％の範囲で出力されるように前記出力発生部１３２を制御することによって、使用者が同一強度の電気刺激を感じることができる。
【００４７】
すなわち、使用者の皮膚の状態が湿っていて使用者の皮膚に沿って電流が円滑に流れることができる場合には、前記統合制御部１３３が前記出力発生部１３２から出力するパルス電流のデューティ比を２５％まで減らして刺激の強度を弱くして出力することができ、使用者の皮膚の状態が乾燥していて使用者の皮膚に沿って流れる電流の量が相対的に小さい場合には、前記統合制御部１３３が前記出力発生部１３２から出力するパルス電流のデューティ比を３５％まで増加させて刺激の強度を強くして出力することができる。したがって、使用者は前述した方式と同様に皮膚の状態にかかわらず、常に一定の強度の刺激を感じることができる。
【００４８】
併せて、本発明に係るイオントフォレシス装置１００は、使用者の皮膚に塗布したイオン性薬物や有効性分が皮膚に浸透して前記使用者の皮膚の状態が変更されても、前記感知部１３１を通じて電圧値の変化量をリアルタイムで測定することによって、前記統合制御部１３３が前記使用者の現在の皮膚の状態に適合な出力値を出力するように前記出力発生
部１３２を制御することができる。したがって、使用者はイオントフォレシス装置１００の作動時間の間、常に均一な強度の電気刺激を感じることができる。
【００４９】
本発明において、使用者が感じる電気刺激の強度を調節するために印加される電圧が２３〜２５Ｖの範囲で変化するか、パルス電流のデューティ比が２５〜３５％の範囲で変化するものと例示したが、これに限定されず、設計条件により多様な範囲に変更され得る。
【００５０】
一方、本発明に係るイオントフォレシス装置１００は、スイッチ部（図５の１４０参照）の操作を通じての駆動時に前記接触電極１２１、１２２に印加される電圧が常に同一大きさで印加されてもよいが、前記接触電極１２１、１２２と皮膚との接触の有無を確認するために、前記二つの接触電極１２１、１２２に印加される電圧は使用者の皮膚に塗布したイオン性薬物や有効性分を皮膚に浸透させるために前記二つの接触電極１２１、１２２に印加される電圧よりも相対的に小さい大きさの電圧が印加されてもよい。
【００５１】
すなわち、スイッチ部１４０の操作を通じてイオントフォレシス装置１００が駆動された初期状態では、前記接触電極１２１、１２２と皮膚との接触の有無を確認するために略１０Ｖの小さい電圧が印加され得、前記接触電極１２１、１２２と皮膚との接触の有無が確認された状態では、使用者の皮膚に塗布したイオン性薬物や有効性分を皮膚に円滑に浸透させることができるように、前記二つの接触電極１２１、１２２に初期状態の電圧よりも相対的に大きな２５Ｖの電圧が印加され得る。これは、待機状態での電力の不要な消耗を防止することによって、電源供給部１１０の使用時間を増やすことができるようにするためである。
【００５２】
また、本発明に係るイオントフォレシス装置１００は、使用者のスイッチ部１４０の操作時に前記制御部１３０の制御を通じて互いに異なる範囲の出力値を有する複数個の出力モードに変更されてもよい。一例として、前記スイッチ部１４０は使用者の押圧操作が可能な少なくとも一つのボタン１４２で具現され得、前記ボタン１４２の押圧回数に基づいた制御部１３０の制御信号を通じて、電気刺激の強度が互いに異なる強モード、一般モード、弱モードに相互に変更され得る。
【００５３】
具体的には、使用者が前記ボタン１４２の操作を通じて前記制御部１３０が強モードで駆動する場合には、前記二つの接触電極１２１、１２２に印加される電圧の大きさが使用者の皮膚の状態により３５〜４５Ｖの範囲で可変され得、前記制御部１３０が一般モードで駆動する場合には、前記二つの接触電極１２１、１２２に印加される電圧の大きさが使用者の皮膚の状態により２５〜３５Ｖの範囲で可変され得、前記制御部１３０が弱モードで駆動する場合には、前記二つの接触電極１２１、１２２に印加される電圧の大きさが使用者の皮膚の状態により１５〜２５Ｖの範囲で可変され得る。
【００５４】
他の例として、使用者が前記ボタン１４２の操作を通じて前記制御部１３０が強モードで駆動する場合には、前記二つの接触電極１２１、１２２に印加されるパルス電流のデューティ比が使用者の皮膚の状態により６０〜８０％の範囲で可変され得、前記制御部１３０が一般モードで駆動する場合には、前記二つの接触電極１２１、１２２に印加されるパルス電流のデューティ比が使用者の皮膚の状態により４０〜６０％の範囲で可変され得、前記制御部１３０が弱モードで駆動する場合には、前記二つの接触電極１２１、１２２に印加されるパルス電流のデューティ比が使用者の皮膚の状態により２０〜４０％の範囲で可変され得る（図３ａ〜図３ｃ参照）。
【００５５】
これに伴い、使用者は前記ボタン１４２の操作を通じて前記制御部１３０の駆動を強モード、一般モードおよび弱モードのうちいずれか一つの出力モードに選択することによって皮膚に加えられる電気刺激の強度を選択することができ、選択された出力モードは使用
者の皮膚の状態により所定の範囲内で出力値が調節されることによって、使用者は皮膚の状態にかかわらず、使用者の所望の強度で均一な電気刺激の強度を感じることができる。
【００５６】
一例として、本発明に係るイオントフォレシス装置１００が強モードで作動する場合、使用者は現在の皮膚の状態により前記接触電極１２１、１２２に印加される電圧の大きさが調節されることによって、普通の皮膚の状態で略４０Ｖの電圧が印加される電気刺激の強度を感じることができるようになり、イオン性薬物や有効性分の浸透を通じて皮膚の状態が変更されても変更された皮膚の状態に合うように前記接触電極１２１、１２２に印加される電圧の大きさが調節されることによって、普通の皮膚の状態で略４０Ｖの電圧が印加される電気刺激の強度を感じることができる。
【００５７】
前述した本発明に係るイオントフォレシス装置１００は、図４〜図１２に図示された通り所定の波長帯域を有する光を発生させて使用者の皮膚側に照射する少なくとも一つの光源３００を含む皮膚美容機器１０００に適用され得る。
【００５８】
これを通じて、前記光源３００を利用した皮膚の改善効果とともにイオントフォレシス装置１００を通じてのイオン性薬物または有効性分の皮膚浸透効果を共に得ることができる。
【００５９】
一例として、本発明に係るイオントフォレシス装置１００が適用された皮膚美容機器１０００は、図４〜図６に図示された通り、ケース部２１０、フレーム部２２０およびキャップ部２３０を含むことができる。
【００６０】
前記ケース部２１０は全体の外形をなし、光源３００、回路基板２４２および電源供給部の役割を遂行する公知のバッテリー１１０等のような各種部品を内部に収容して外部環境から保護するためのボディー２１１を含むことができる。
【００６１】
すなわち、前記ケース部２１０は、前記各種部品を収容できるように所定の内部空間を有する箱体状のボディー２１１を含むことができ、前記キャップ部２３０が前記ボディー２１１に着脱可能に結合され得る。
【００６２】
一例として、前記ボディー２１１は前記内部空間側に前記各種部品を挿入できるように下部が開放形成され得、前記ボディー２１１の下部に着脱可能に結合されるキャップ部２３０を通じて開放された下部が密閉され得る。
【００６３】
この時、前記ボディー２１１の一側には、イオントフォレシスの機能を実現するための二つの接触電極１２１、１２２が外部に露出するように備えられ得、前記光源３００を外部環境から保護すると共に使用者の目を保護するための透光性部材２１２が前記光源３００の前方側に配置され得る。
【００６４】
このために、前記ボディー２１１の一面には前記二つの接触電極１２１、１２２が配置される装着面２１４が備えられ得、前記装着面２１４は前記ボディー２１１の上縁から内側に一定の長さ延びる中空型で備えられ得る。併せて、前記装着面２１４の中空部には前記透光性部材２１２が配置され得る。
【００６５】
この時、前記ケース部２１０はボディー２１１、二つの接触電極１２１、１２２および透光性部材２１２が分離可能に結合されてもよいが、組立の便宜性を高め、使用過程中に使用者の皮膚との接触による異物の入り込みを最小化することができるように一体に形成され得る。
【００６６】
一例として、前記ボディー２１１、二つの接触電極１２１、１２２および透光性部材２１２は一体に形成され得、具体的な一例としてインサートモールディングを通じて一体化され得る。
【００６７】
すなわち、前記二つの接触電極１２１、１２２および透光性部材２１２は、１次インサートモールディングを通じて前記二つの接触電極１２１、１２２が互いに物理的に分離された状態で前記透光性部材２１２の縁側に配置されるように一体化され得る。
【００６８】
この時、前記透光性部材２１２は上面から下部に一定の深さで切開されて形成される一対の挿入溝２１２ａが形成され得、前記二つの接触電極１２１、１２２は縁から下方に延びる延長部２２１ａ、２２２ａが形成され得る。したがって、前記延長部２２１ａ、２２２ａが前記挿入溝２１２ａに配置されることによって前記二つの接触電極１２１、１２２が透光性部材２１２と一体化され得る。
【００６９】
併せて、前記透光性部材２１２および二つの接触電極１２１、１２２が一体化され体状態で２次インサートモールディングを通じてボディー２１１を形成することによって、前記二つの接触電極１２１、１２２が装着面２１４に配置された状態で透光性部材２１２、二つの接触電極１２１、１２２およびボディー２１１が一体化され得る。
【００７０】
この時、インサート射出を通じて形成される透光性部材２１２およびボディー２１１は公知の熱可塑性樹脂が使用され得る。併せて、前記透光性部材２１２を形成するために使用される熱可塑性樹脂と前記ボディー２１１を形成するために使用される熱可塑性樹脂は同じ材質で構成されてもよいが、前記透光性部材２１２を形成するために使用される熱可塑性樹脂が前記ボディー２１１を形成するために使用される熱可塑性樹脂の融点よりも相対的に高い融点を有する熱可塑性樹脂が使用され得る。これは、二つの接触電極１２１、１２２と１次インサートモールディングを通じて一体化された透光性部材２１２がボディー２１１との一体化のために２次インサートモールディングされる過程で溶融することを防止するためである。
【００７１】
一例として、前記透光性部材２１２は融点が略３００℃であるポリマー材質が使用され得、前記ボディー２１１は融点が略１０００℃であるＡＢＳレジンが使用され得る。しかし、前記透光性部材２１２およびボディー２１１の材質はこれに限定されず、互いに異なる融点を有して射出が可能な公知の熱可塑性樹脂はすべて使用することができる。
【００７２】
一方、前記二つの接触電極１２１、１２２は皮膚との接触面積を広くすることができるように、所定の面積を有する板状の部材で形成され得、前記装着面２１４に全体的に備えられてもよく部分的に備えられてもよい。
【００７３】
併せて、前記二つの接触電極１２１、１２２は前記延長部２２１ａ、２２２ａと連結される縁側が曲面に形成され得る。これに伴い、前記二つの接触電極１２１、１２２が使用者の皮膚と接触して使用者の皮膚をこする過程において、鋭い角によって使用者の皮膚が損傷したり皮膚に存在するイオン性薬物や異物が角によってかき集められることを防止することができる。
【００７４】
この時、前記装着面２１４は水平面に対して一定の角度傾く所定の傾きを有する傾斜面で形成され得る。一例として、前記装着面２１４は図４に図示された通り、ケース部２１０の底面に対して左側が右側よりも相対的に低い高さを有する傾斜面を含むことができ、前記傾斜面に二つの接触電極１２１、１２２が配置され得る。
【００７５】
これに伴い、前記傾斜面に配置される二つの接触電極１２１、１２２も水平面に対して
所定の傾きを有するように配置され得る。これによって、使用者の皮膚との接触時に二つの接触電極１２１、１２２と接触する皮膚との接触面積を広げることができる。併せて、使用時に使用者がボディー２１１を把持した状態で二つの接触電極１２１、１２２を皮膚と接触させるために手首を過度に曲げなくても、使用者の皮膚と接触電極１２１、１２２間の自然な接触が行われ得る。
【００７６】
この時、前記装着面２１４は全体が傾斜面で形成されてもよく、部分的に傾斜面が形成されてもよい。
【００７７】
前記フレーム部２２０は前記ボディー２１１の内部空間に配置されるものであって、光源３００が実装される回路基板２４２を固定して前記キャップ部２３０とケース部２１０の結合時に前記光源３００が透光性部材２１２と対応する領域に位置することができる。
【００７８】
このために、前記フレーム部２２０は上板フレーム１２１を含むことができ、前記上板フレーム１２１に回路基板２４２が着脱可能に結合され得る。
【００７９】
ここで、前記上板フレーム１２１は内部が開口されたフレーム構造物からなってもよく、板状の部材からなってもよい。
【００８０】
これに伴い、前記回路基板２４２はボルト部材のような締結部材を媒介としてフレーム部２２０に固定され得、前記フレーム部２２０の下部側をキャップ部２３０に固定した状態で前記キャップ部２３０とケース部２１０を締結すれば、前記回路基板２４２に実装された光源３００が透光性部材２１２と対応する領域に位置することができる。
【００８１】
ここで、前記回路基板２４２と上板フレーム１２１の間には回路基板２４２と上板フレーム１２１の電気的な絶縁のための絶縁部材２４５が配置されてもよい。
【００８２】
この時、前記フレーム部２２０は前記上板フレーム１２１から下方に延びる少なくとも一つの支持フレーム１２２を含むことができ、前記支持フレーム１２２の下端部側が前記キャップ部２３０と着脱可能に結合され得る。
【００８３】
具体的には、前記支持フレーム１２２は前記キャップ部２３０との締結のための少なくとも一つの結合片２２３を具備することができ、前記キャップ部２３０側には前記結合片２２３と対応する位置に結合孔２３１が貫通形成され得る。
【００８４】
この時、前記結合片２２３は弾性変形ができるように一部が切開されて形成される切開片２２５を含むことができ、前記切開片２２５は一端部側が前記結合片２２３の一面から外側に突出するように形成され得る。
【００８５】
これを通じて、前記切開片２２５とキャップ部２３０との結合時に、前記切開片２２５は外力による弾性的な変形を通じて前記結合孔２３１に挿入された後、元の状態に復帰して前記結合孔２３１の縁側に係止されて設置されることによって、前記結合孔２３１から離脱するのが防止され得る。
【００８６】
ここで、前記切開片２２５は前記結合片２２３の中央部側に形成されてもよいが、前記結合片２２３の側端部側に形成されてもよい。
【００８７】
この時、前記キャップ部２３０は下面に前記結合孔２３１と連結されるように一定の深さに凹んだ係止溝２３２が形成され得、前記フレーム部２２０との結合時に前記結合孔２３１を通過した切開片２２５の端部が前記係止溝２３２に係止されて設置され得る。
【００８８】
これを通じて、前記キャップ部２３０とフレーム部２２０の再組立または分離が必要な場合、前記係止溝２３２に露出した切開片２２５をドライバーのような工具を使用して加圧することによって、キャップ部２３０とフレーム部２２０を容易に分離することができる。
【００８９】
これに伴い、前記キャップ部２３０とフレーム部２２０の再組立または分離が必要な場合、切開片２２５に外力を加えて切開片２２５を弾性的に変形させることによって、切開片２２５による係止力を解除することができる。これを通じて、前記切開片２２５が外力によって弾性的に変形された状態で結合孔２３１を通過することによって、キャップ部２３０とフレーム部２２０を分離することができる。
【００９０】
ここで、前記支持フレーム１２２は前記上板フレーム１２１の両側端から下方に延びる一対で備えられ得、所定の長さを有して前記上板フレーム１２１の側端から延びる一対の垂直バー１２２ａが少なくとも一つの支持バー１２２ｂを媒介として相互に連結される形態で備えられ得る。
【００９１】
一方、前記支持フレーム１２２は、本体から前記内部空間側に一定の長さ突出する少なくとも一つの突出バー２２６が備えられることによって、前記キャップ部２３０とフレーム部２２０の結合時に前記フレーム部２２０の内側に配置されるバッテリー１１０が上方に移動するのを拘束することができる。
【００９２】
一例として、前記突出バー２２６は前記支持バー１２２ｂから内側に一定の長さ延長され得、前記バッテリー１１０の上面が前記支持バー１２２ｂの下面に接触され得る。
【００９３】
一方、イオントフォレシス機能のための前記二つの接触電極１２１、１２２が前記ケース部２１０の一面に配置される場合、前記キャップ部２３０とケース部２１０の結合時に前記二つの接触電極１２１、１２２は、一対の弾性部材２４３を利用した接触方式を通じて光源３００が実装される回路基板２４２と互いに電気的に連結され得る。
【００９４】
これに伴い、前記接触電極１２１、１２２はバッテリー１１０から供給された電源を利用して使用者の身体に電流を印加することによって、使用者の皮膚および二つの接触電極１２１、１２２が閉回路を構成することができる。
【００９５】
このために、前記弾性部材２４３は電気伝導性と弾性力を有する材質で構成され得る。
【００９６】
具体的な一例として、前記弾性部材２４３は前記回路基板２４２に実装される第１部分２４３ａと、前記第１部分２４３ａの端部から所定の角度で傾く第２部分２４３ｂを含むことができ、前記第２部分２４３ｂの少なくとも一部が前記接触電極１２１、１２２の下面と接触するように前記回路基板２４２および接触電極１２１、１２２の間に配置され得る。
【００９７】
これに伴い、回路基板２４２が固定されたフレーム部２２０をキャップ部２３０に固定させた後、キャップ部２３０とケース部２１０を結合すると、前記第２部分２４３ｂが互いに対応する接触電極１２１、１２２と密着した状態が維持され得る。これによって、前記二つの接触電極１２１、１２２はフレーム部２２０に固定された回路基板２４２と弾性部材２４３を通じて互いに通電され得る。
【００９８】
すなわち、前記皮膚美容機器１０００は、前記接触電極１２１、１２２と回路基板２４２が弾性部材２４３による密着方式を通じて電気的に連結されることによって、前記回路
基板２４２と二つの接触電極１２１、１２２を電気的に連結するための別途の導線連結作業や配線作業が不要であるため、作業工程を単純化させて組立性を向上させることができる。
【００９９】
ここで、前記装着面２１４には前記弾性部材２４３の第２部分２４３ｂが通過してそれぞれの接触電極１２１、１２２と密着できるように、長孔の通過孔２１５が貫通形成され得る。併せて、図面には前記弾性部材２４３を線形で図示したがこれに限定されず、接触面積を広くすることができるように所定の幅を有するように備えられてもよい。
【０１００】
一方、前記ボディー２１１の内側面には高さ方向に沿って内側に突出形成される少なくとも一つの突出リブ２１６が備えられ得る。このような突出リブ２１６は前記キャップ部２３０とケース部２１０の結合時に前記フレーム部２２０の上板フレーム１２１に固定された回路基板２４２の側部を加圧することによって前記回路基板２４２を前記透光性部材２１２の直下部側に整列させることができる。
【０１０１】
これを通じて、前記回路基板２４２に複数個の光源３００が実装される場合、前記キャップ部２３０とケース部２１０の組立時に回路基板２４２の仮想の中心線が透光性部材２１２の仮想の中心線の直下部に位置することができる。
【０１０２】
これに伴い、前記光源３００が前記透光性部材２１２の下面から所定の間隔を置いて離隔して配置されても、それぞれの光源３００で発生した光が最初に設計された照射角度で外部に放出され得る。
【０１０３】
一例として、前記突出リブ２１６は前記ボディー２１１の高さ方向に沿って下部から上部に行くほど内側に突出する厚さが相対的に厚い厚さを有するように備えられることによって、前記キャップ部２３０に締結されたフレーム部２２０を内部空間側に挿入する過程で前記回路基板２４２の側部を徐々に加圧することができる。
【０１０４】
前記キャップ部２３０は前記ケース部２１０に形成された内部空間の一側を密閉するためのものである。
【０１０５】
このようなキャップ部２３０は前記ケース部２１０に一体に形成されてもよいが、前記ケース部２１０と着脱可能に結合されてもよい。
【０１０６】
一例として、前記キャップ部２３０は縁側に前記ボディー２１１との締結のための複数個のフック部２３３が所定の高さを有するように形成され得、前記ボディー２１１の内側面には前記フック部２３３と対応する位置に前記フック部２３３の端部が挿入されて係止されて設置されるように段差構造の締結溝２１７がそれぞれ形成され得る。
【０１０７】
これを通じて、前記キャップ部２３０とボディー２１１の結合時に、前記フック部２３３の端部が前記締結溝２１７に挿入されて前記フック部２３３の端部が締結溝２１７に係止されて設置されることによって、キャップ部２３０とボディー２１１の分離が防止され得る。
【０１０８】
これに伴い、前記皮膚美容機器１０００は透光性部材２１２、接触電極１２１、１２２およびボディー２１１が一体に形成されてケース部２１０を構成し、前記ケース部２１０の内部空間側に各種部品が締結されたフレーム部２２０を挿入した後、キャップ部２３０をボディー２１１に締結する方式を通じてすべての部品の組立を完成することができる。
【０１０９】
ここで、前記キャップ部２３０はケース部２１０との結合力を高めることができるよう
に、ボルト部材のような締結部材が通過できる少なくとも一つの締結孔２３４が貫通形成されることによって、前記締結部材を媒介としてケース部２１０に締結されてもよい。
【０１１０】
併せて、前記キャップ部２３０は光源３００が実装される回路基板２４２を固定するフレーム部２２０が着脱可能に結合され得る。
【０１１１】
一例として、前記キャップ部２３０には前記結合片２２３と対応する位置に結合孔２３１が貫通形成されることによって、前記フレーム部２２０の一端部側に形成された切開片２２５が前記キャップ部２３０との結合時に外力による弾性的な変形を通じて前記結合孔２３１に挿入された後、元の状態に復帰して前記結合孔２３１の縁側に係止されて設置され得る。
【０１１２】
また、前記キャップ部２３０は下面に前記結合孔２３１と連結されるように一定の深さに凹んだ係止溝２３２が形成されて前記切開片２２５が係止溝２３２側に露出することができる。これを通じて、前記キャップ部２３０とフレーム部２２０の再組立または分離が必要な場合、前記係止溝２３２に露出した切開片２２５をドライバーのような工具を使用して加圧して前記切開片２２５が結合孔２３１を通過できるようにすることによって、キャップ部２３０とフレーム部２２０を互いに分離することができる。
【０１１３】
一方、前記キャップ部２３０は前記制御部１３０を構成するメイン回路基板２４４を固定することができ、使用者の操作信号を感知するためのスイッチ部１４０を構成する回路基板１４４も固定することができる。
【０１１４】
ここで、前記メイン回路基板２４４の一面には前記バッテリー１１０が配置され得、前記バッテリー１１０、メイン回路基板２４４、光源３００が実装される回路基板２４２およびスイッチ部１４０を構成する回路基板１４４は、互いに電気的に連結され得る。
【０１１５】
具体的な一例として、前記キャップ部２３０は前記メイン回路基板２４４を固定するための少なくとも一つの固定リブ２３５が所定の高さを有するように形成され得る。
【０１１６】
すなわち、前記固定リブ２３５は前記キャップ部２３０の上面に所定の間隔を有して離隔して配置される一対で備えられ得、前記一対の固定リブ２３５に前記メイン回路基板２４４がボルト部材のような締結部材を媒介として固定され得る。
【０１１７】
ここで、前記バッテリー１１０は前記フレーム部２２０とキャップ部２３０の結合時に前記上板フレーム２２１の直下部側に配置され得、一対の支持フレーム２２２の間に配置され得る。
【０１１８】
すなわち、前記バッテリー１１０は前記キャップ部２３０とフレーム部２２０の結合時に一面が前記メイン回路基板２４４と接し、上端が突出バー２２６に接し、下端がキャップ部２３０の上面に接するように配置され得る。
【０１１９】
この時、前記支持フレーム２２２とバッテリー１１０の間には、所定の面積を有するクッション部材２４９が前記バッテリー１１０と支持フレーム２２２側にそれぞれ接するように配置されることによって、前記バッテリー１１０の流動を防止すると共に外部で発生する衝撃を吸収することができる。併せて、前記バッテリー１１０の下面とキャップ部２３０の上面間にも別途のクッション部材２４９がさらに備えられてもよい。
【０１２０】
また、前記キャップ部２３０は使用者の操作信号を感知するためのスイッチ部１４０を構成する回路基板１４４を支持するための少なくとも一つの支持リブ２３６が所定の高さ
を有するように形成され得る。
【０１２１】
一例として、前記支持リブ２３６は前記キャップ部２３０の上面に所定の間隔を有して離隔して配置される一対で備えられ得、前記一対の支持リブ２３６は前記回路基板１４４の両側端が挿入されるように上端から高さ方向に沿って切開されて形成されるガイド溝２３７が形成され得る。
【０１２２】
このように前記皮膚美容機器１０００は、前記キャップ部２３０にフレーム部２２０、電源供給源であるバッテリー１１０、メイン回路基板２４４およびスイッチ部１４０の回路基板１４４等がすべて締結される方式であるため、組立作業を非常に容易に行うことができる。
【０１２３】
すなわち、前記フレーム部２２０、バッテリー１１０、メイン回路基板２４４およびスイッチ部１４０の回路基板１４４がキャップ部２３０にすべて結合された状態で前記キャップ部２３０をケース部２１０と締結すると、組立が完成され得る。
【０１２４】
ここで、前記キャップ部２３０の下面には、前記結合孔２３１および係止溝２３２が外部に露出することを防止するための別途の仕上げ部材２３８が付着され得る。
【０１２５】
一方、前記光源３００は所定の波長帯域を有する光を発生させて使用者の皮膚側に照射することによって、使用者が光の波長帯域で得ることができる固有の利点を得ることができる。
【０１２６】
この時、前記皮膚美容機器１０００は一つの機器を通じて互いに異なる波長帯域で得ることができるそれぞれの固有の効果をすべて得ることができるように具現され得る。
【０１２７】
このために、前記光源３００は互いに異なる波長帯域の光の照射ができるように備えられ得る。一例として、前記光源３００は互いに異なる波長帯域の光を有する複数個の光源で構成されてもよいが、一つの光源３００が互いに異なる波長帯域の光を照射する複数個の発光素子３３１、３３２、３３３が一体に形成された形態であってもよい（図５および図１５参照）。
【０１２８】
すなわち、前記光源３００は互いに異なる波長帯域の光を照射する複数個の発光素子が一つの基板上に実装されて単一のパッケージ形態で具現され得る。一例として、前記光源３００は前記発光素子としてＬＥＤ素子が使用され得、互いに異なる波長帯域の光を照射する複数個のＬＥＤ素子が複数個の発光素子として使用されて一つのＬＥＤパッケージとして具現された形態であり得る。
【０１２９】
具体的な一例として、前記複数個の発光素子は４００〜４８０ｎｍ帯域内の任意の波長の光を照射する第１発光素子３３１と、５５０〜６１０ｎｍ帯域内の任意の波長の光を照射する第２発光素子３３２および６１０〜６５０ｎｍ帯域内の任意の波長の光を照射する第３発光素子３３３を含むことができる。
【０１３０】
これを通じて、使用者は前記光源３００を構成する第１発光素子３３１、第２発光素子３３２および第３発光素子３３３のうちいずれか一つの発光素子が作動するように選択することによって、皮膚の鎮静効果、肌のキメの改善、敏感肌の鎮静ケア、皮膚の輪郭改善、皮膚の弾力改善、皮膚の弾性復原力、皮膚のリフティング改善および皮膚のツヤ改善などの効果を一つの光源を通じて得ることができる。
【０１３１】
このために、前記光源３００は図１５〜図１７に図示された通り、モールド体３１０、
複数個の連結電極３２１、３２２、複数個の発光素子３３１、３３２、３３３および封止材３４０を含むことができる。
【０１３２】
前記モールド体３１０は、複数個の発光素子３３１、３３２、３３３と複数個の連結電極３２１、３２２をモールドすることによって一つの構造物の形態で光源を形成するためのものである。
【０１３３】
すなわち、前記モールド体３１０は、単一の物質を利用して一体型に複数個の発光素子３３１、３３２、３３３と複数個の連結電極３２１、３２２をモールディングすることができる。
【０１３４】
ここで、前記モールド体３１０は当業界で広く知られている公知のモールド物質を利用することができる。一例として、前記モールド体３１０はシリコン、シリコン酸化物および多様な種類の透明樹脂が使用され得る。
【０１３５】
この時、前記モールド体３１０は上面から所定の深さに凹んだ収容部３１２が形成され得る。
【０１３６】
このような収容部３１２は前記複数個の発光素子３３１、３３２、３３３が収容される空間を提供すると共に内側面が上部から下部に行くほど一定の角度傾斜した傾斜面で形成されることによって、前記複数個の発光素子３３１、３３２、３３３で発生する光の放出角度を制御することができる。
【０１３７】
一方、前記傾斜面には光反射効率が優秀な反射物質が所定の厚さで塗布されることによって、前記複数個の発光素子３３１、３３２、３３３の発光時に発生する光を反射させることによって光効率を高めることもできる。
【０１３８】
前記複数個の連結電極３２１、３２２は、複数個の発光素子３３１、３３２、３３３と互いに電気的に連結されて光源３００の外部から供給される電力を前記複数個の発光素子３３１、３３２、３３３側に提供する端子の役割を遂行することができる。
【０１３９】
すなわち、前記複数個の連結電極３２１、３２２は、少なくとも一部がモールド体３１０の外部に露出して光源３００が実装される回路基板２４２の電極パターンと電気的に連結されることによって、複数個の発光素子３３１、３３２、３３３が必要とする電力の提供を受けることができる。
【０１４０】
このために、前記複数個の連結電極３２１、３２２は、電源の供給時に互いに異なる極性でそれぞれ印加される第１電極３２１および第２電極３２２を含むことができ、前記第１電極３２１および第２電極３２２は一部が外部に露出するように前記モールド体３１０と一体化され得る。
【０１４１】
ここで、前記第１電極３２１および第２電極３２２は、所定の長さを有する導電性部材で形成され得、全体の長さのうち一部が前記収容部３１２の底面に露出し、残りの長さのうち一部が前記モールド体３１０の外部に露出され得る。
【０１４２】
すなわち、前記第１電極３２１および第２電極３２２は図１６および図１７に図示された通り、略「コ」の形状に形成されて収容部３１２の底面およびモールド体３１０の外部面にそれぞれ一部が露出するように前記モールド体３１０と一体化され得る。
【０１４３】
これに伴い、前記第１電極３２１および第２電極３２２は、前記収容部３１２の底面に
露出した第１部分３２１ａ、３２２ａを通じて前記発光素子３３１、３３２、３３３と電気的に連結され、前記モールド体３１０の外部に露出した第２部分３２１ｂ、３２２ｂを通じて前記回路基板２４２と電気的に連結され得る。
【０１４４】
ここで、図面には前記第１電極３２１および第２電極３２２を構成する導電性部材のうち第２部分３２１ｂ、３２２ｂが前記モールド体３１０の側面と下面にすべて露出するものと図示したが、これに限定されず、前記第２部分３２１ｂ、３２２ｂが前記モールド体３１０の下面にのみ露出してもよく、前記モールド体３１０の側面にのみ露出する形態であってもよい。
【０１４５】
この時、前記光源３００は電源の供給時に互いに異なる極性で印加される第１電極３２１および第２電極３２２がそれぞれ複数個で備えられ得、互いに一対一にマッチングされる個数を有することができる。
【０１４６】
これに伴い、一つの光源３００内に互いに異なる特性（一例として、波長）を有する複数個の発光素子３３１、３３２、３３３をふくむことができることによって、一つの光源３００を通じて目的とする多様な特性を実現することができる。これについての詳細な説明は後述する。
【０１４７】
ここで、前記第１電極３２１および第２電極３２２がそれぞれ複数個で備えられる場合、複数個の第１電極３２１および第２電極３２２はそれぞれの第２部分３２１ｂ、３２２ｂが前記モールド体３１０の互いに異なる面に露出するように配置され得、前記収容部３１２の底面に形成される複数個の第１部分３２１ａ、３２２ａは互いに同じ形状でもよく、互いに異なる形状でもよい。
【０１４８】
一例として、前記複数個の第１電極３２１はそれぞれの第２部分３２１ｂが前記モールド体３１０の右側面および下面に位置するように配置され得、前記複数個の第２電極３２２はそれぞれの第２部分３２２ｂが前記モールド体３１０の左側面および下面に位置するように配置され得る。
【０１４９】
これを通じて、電源の供給時に互いに異なる極性で印加される第１電極３２１と第２電極３２２の位置が明確に区分されることによって、作業者が光源３００を回路基板２４２上に実装する過程で極性が間違って連結されることを未然に防止することができる。
【０１５０】
この時、前記モールド体３１０の上面には、作業者が前記第１電極３２１および第２電極３２２の極性をさらに容易に区分できるように、少なくとも一つの表示部３１６が形成され得る。一例として、前記表示部３１６は前記モールド体３１０の角側に切開されて形成される切開部であり得る。しかし、前記表示部３１６はこれに限定されず、色相、指示線ラベルなどのように作業者が容易に識別できるものであればいずれでもよい。
【０１５１】
一方、前記モールド体３１０の底面には、内側に一定の深さに凹んだ装着溝３１８が形成され得、前記装着溝３１８に前記第２部分３２１ｂ、３２２ｂの一部が配置され得る。
【０１５２】
前記複数個の発光素子３３１、３３２、３３３は、電源供給時に所定の波長帯域を有する光を発生させるための発光源の役割を遂行することができる。すなわち、前記複数個の発光素子３３１、３３２、３３３は使用者の皮膚の改善効果のための所定波長帯域の光を発生させることができる。ここで、前記発光素子３３１、３３２、３３３は４００〜９７０ｎｍ帯域内で選択された任意の波長帯域を発生させることができる。
【０１５３】
この時、前記複数個の発光素子３３１、３３２、３３３は互いに異なる波長帯域の光を
発生させる３個で備えられ得、それぞれの発光素子３３１、３３２、３３３は複数個の第１電極３２１および第２電極３２２のうちいずれか一つの電極にそれぞれ個別的に直接実装されて互いに対をなす他の電極とワイヤー３３５を媒介として連結され得る。
【０１５４】
すなわち、それぞれの発光素子３３１、３３２、３３３は前記収容部３１２の底面に露出する第１電極３２１および第２電極３２２のうちいずれか一つの電極の第１部分３２１ａ、３２２ａに直接実装されて前記第１電極３２１または第２電極３２２と互いに電気的に連結され得、ワイヤー３３５を媒介として互いに対をなす他の電極の第１部分３２１ａ、３２２ａと互いに電気的に連結され得る。
【０１５５】
これを通じて、電源供給時に前記複数個の発光素子３３１、３３２、３３３のうちいずれか一つが選択的に作動することによって、使用者の所望の波長帯域の光が選択的に発光され得る。
【０１５６】
一例として、前記複数個の発光素子３３１、３３２、３３３は４００〜４８０ｎｍ帯域内の任意の波長の光を照射する第１発光素子３３１と、５５０〜６１０ｎｍ帯域内の任意の波長の光を照射する第２発光素子３３２および６１０〜６５０ｎｍ帯域内の任意の波長の光を照射する第３発光素子３３３であり得る。
【０１５７】
これに伴い、使用者は前記第１発光素子３３１、第２発光素子３３２および第３発光素子３３３のうちいずれか一つの発光素子が作動するように選択することによって、皮膚の鎮静効果、被否決改善、敏感肌の鎮静ケア、皮膚の輪郭改善、皮膚の弾力改善、皮膚の弾性復原力、皮膚のリフティング改善、傷の治療、痛み緩和、にきび治療および皮膚のツヤ改善などの効果を一つの光源３００を通じて得ることができる。
【０１５８】
ここで、前記発光素子３３１、３３２、３３３は、水平型発光素子でもよく、垂直型発光素子でもよい。併せて、図面と説明には、前記第１電極３２１および第２電極３２２のうちいずれか一つの電極に発光素子３３１、３３２、３３３が直接実装されてワイヤー３３５を通じて他の電極と電気的に連結されるものと図示して説明したが、これに限定されず、当技術分野に知られている多様な方式の電気的連結構造を採用することができる。
【０１５９】
併せて、前記光源３００に適用される発光素子の個数および波長帯域はこれに限定されず、得ようとする皮膚の改善効果に適合な波長を発生させる適切な発光素子を使用することができる。代案として、前記それぞれの発光素子は４００〜９７０ｎｍ帯域内で選択された任意の互いに異なる波長帯域の光を照射することができ、互いに異なる波長帯域の光を発生させる二つの発光素子は一部の波長帯域が互いに重なる波長帯域の光を照射するように備えられてもよい。
【０１６０】
一方、前記第１電極３２１および第２電極３２２のうちいずれか一つには、静電気からそれぞれの発光素子３３１、３３２、３３３を保護するための防護素子３３４が実装され得る。このような防護素子３３４は前記発光素子３３１、３３２、３３３と同様に前記収容部３１２の底面に露出した第１部分３２２ａに直接実装され得、ワイヤー３３５を通じて対をなす他の電極の第１部分３２１ａに電気的に連結され得る。前記防護素子３３４の一例として、公知のツェナーダイオードが使用され得る。しかし、前記防護素子３３４はこれに限定されず、静電気から回路を保護できる形態であればすべて使用が可能である。
【０１６１】
この時、互いに異なる波長帯域の光を放出するそれぞれの発光素子３３１、３３２、３３３は、使用される波長帯域により互いに異なる光量を放出するように設定され得る。
【０１６２】
一例として、前記複数個の発光素子３３１、３３２、３３３のうち波長帯域が５００ｎ
ｍ未満の発光素子３３１は、波長帯域が５００ｎｍ以上の発光素子３３２、３３３よりも相対的に少ない光量を放出するように設定され得る。
【０１６３】
具体的には、波長帯域が５００ｎｍ未満の発光素子は光速が６ルーメン（ｌｍ）以下であり得、波長帯域が５００ｎｍ以上である発光素子は光速が８ルーメン（ｌｍ）以下であり得る。
【０１６４】
すなわち、４００〜４８０ｎｍ波長帯域内の光を照射する第１発光素子３３１は６ルーメン以下の光速で光を放出することができ、５５０〜６１０ｎｍ波長帯域内の光を照射する第２発光素子３３２および６１０〜６５０ｎｍ波長帯域内の光を照射する第３発光素子３３３は８ルーメン以下の光速で光を放出することができる。
【０１６５】
これは、相対的に波長が短い第１発光素子３３１は相対的に波長が長い第２発光素子３３２および第３発光素子３３３よりも相対的に高温の熱を発生するため、前述した光源３００が使用者の身体と接触する皮膚美容機器２００に適用される場合、使用者が身体接触時にそれぞれの発光素子３３１、３３２、３３３で発生する熱によって不快感を感じずに、かつそれぞれの発光素子３３１、３３２、３３３から放出される光による視力の損傷などのような有害な影響を防止できるようにするためである。
【０１６６】
すなわち、本発明では、それぞれの発光素子３３１、３３２、３３３から放出される光速が発光素子３３１、３３２、３３３の波長帯域により８ルーメンまたは６ルーメン以下の光速で光を放出するように前記制御部１３０を通じて制御されることによって、発光素子の発光時に人体の温度と類似する４０℃以下の温度が発生し得るように設定され得る。
【０１６７】
前記封止材３４０は、前記収容部３１２に配置された発光素子３３１、３３２、３３３およびワイヤー３３５を覆って保護できるように前記収容部３１２に充填される樹脂材であり得る。
【０１６８】
このような封止材３４０は、前記収容部３１２に配置された発光素子３３１、３３２、３３３で発生する光の色をそのまま出光させる透明樹脂で備えられてもよく、前記発光素子３３１、３３２、３３３で発生する光の波長を変換して他の色で出光させることができるように蛍光体を含む透明樹脂であってもよい。
【０１６９】
この時、前記モールド体３１０の上面には、前記収容部３１２の縁に沿って一定の高さに突出する突出部３１４が形成され得る。このような突出部３１４は光源３００を製造する過程で前記収容部３１２に充填された封止材３４０が硬化過程中に収容部３１２の開放された上部を通じて溢れたり失われることを防止するためである。
【０１７０】
しかし、前記光源の種類はこれに限定されず、得ようとする皮膚の改善効果に適合な波長を発生させる適切な光源を使用することもできる。
【０１７１】
一例として、前記それぞれの発光素子３３１、３３２、３３３は４００〜９７０ｎｍ帯域内で選択された任意の互いに異なる波長帯域の光を照射することができ、互いに異なる二つの発光素子は一部の波長帯域が互いに重なる波長帯域の光を照射するように備えられてもよい。
【０１７２】
また、前記光源は４００〜９７０ｎｍ帯域内で所定の波長帯域を有する光を照射する一つの発光素子で備えられてもよい。このような場合、前記光源は互いに異なる波長帯域の光を照射する２個以上の光源が適切に使用され得る。
【０１７３】
併せて、前記光源は点灯が連続的になされてもよく、点灯と消灯が繰り返されてもよい。
【０１７４】
一方、前記光源３００が互いに異なる波長帯域の光を照射する複数個の発光素子を含む場合、前記光源３００の発光モードの選択は前記ケース部２１０の一側に備えられるスイッチ部１４０の操作を通じて行われ得、前記制御部１３０を通じて駆動が制御され得る。
【０１７５】
ここで、前記スイッチ部１４０は図４に図示された通り、前記ケース部２１０の一側に露出する少なくとも一つのボタン１４２と前記ケース部２１０の内部に配置されて前記ボタン１４２の操作に対応する信号を発生させる回路部を有する回路基板１４４を含むことができ、前記回路基板１４４は制御部１３０を構成するメイン回路基板１３４と電気的に連結され得る。
【０１７６】
一例として、前記スイッチ部１４０は公知のタクトスイッチが使用され得、使用者が前記ボタン１４２の押圧回数により前記制御部１３０の駆動を通じて第１発光モード、第２発光モードおよび第３発光モードが順次変更され得、前述した強モード、一般モードおよび弱モードでの変更も可能となり得る。しかし、これに限定されず、前記ボタン１４２の操作時に光源の発光モードおよび強度モードを選択する操作の他に美容機器の全体駆動をオン／オフする操作がなされてもよい。
【０１７７】
併せて、前記制御部１３０は前記発光素子３３１、３３２、３３３が連続的に作動する場合、所定時間の経過後に前記発光素子３３１、３３２、３３３側に供給される電源を遮断するタイマー機能が含まれ得る。
【０１７８】
このような光源３００は前記フレーム部２２０の上板フレーム２２１に固定される回路基板２４２に所定のパターンで実装され得、前記キャップ部２３０とケース部２１０の結合時に前記透光性部材２１２の下部側に配置され得る。
【０１７９】
この時、前記光源３００は一側が前記透光性部材２１２と接するように配置されてもよく、前記透光性部材２１２の一面から所定の間隔を置いて離隔して配置されてもよい。併せて、前記光源３００が複数個で備えられる場合、複数個の光源３００は前記透光性部材２１２と互いに同じ距離で離隔して配置されてもよく、前記透光性部材２１２と互いに異なる距離を有するように離隔して配置されてもよい。
【０１８０】
具体的な一例として、前記光源３００が複数個で備えられ、それぞれの光源３００が前記透光性部材２１２と所定の間隔を置いて離隔して配置される場合、互いに隣り合う光源３００の間の離隔距離Ｌ１とそれぞれの光源３００から透光性部材２１２までの離隔距離Ｌ２は下記の式１を満足することができる。
【０１８１】
【数１】
2020192386.tif 000003
【０１８２】
これは、それぞれの光源３００から透光性部材２１２までの離隔距離が互いに隣り合う光源３００のそれぞれから透光性部材２１２までの離隔距離の１．６倍以下の場合、それぞれの光源３００から放出されて前記透光性部材２１２まで到達する光が互いに重ならなくなるため、重なりによる光の減殺または損失が発生しない可能性がある。
【０１８３】
このため、それぞれの光源３００で発生する光の光量の減少が未然に防止されることによって、所定の波長帯域で使用者が得ようとする有利な効果を得ることができ、８ルーメンまたは６ルーメン以下の光速で光を放出できることによって発熱による諸般の問題を解決することができる。
【０１８４】
このように前記皮膚美容機器２００は光源３００間の離隔距離および光源３００と透光性部材２１２の間の離隔距離を所定の範囲に制限することによって、互いに異なる波長帯域の光を放出する複数個の発光素子３３１、３３２、３３３を同時に使用できるだけでなく、複数個の光源３００を配置しても理想的な配光を実現することができる。
【０１８５】
一方、前記キャップ部２３０とケース部２１０の結合を通じて前記光源３００が透光性部材２１２と所定の間隔を置いて離隔して配置される場合、前記光源３００は前記透光性部材２１２と対応する面積の直下部に配置され得る。これを通じて、本発明に係る皮膚美容機器１０００は、光を発生させる光源３００が前記ケース部２１０の内部に収容された状態で前記透光性部材２１２の下部側に所定の間隔を置いて離隔して配置されることによって、外部に放出される光の放出角度が制限され得る。
【０１８６】
すなわち、前記光源３００から放出される光は前記装着面２１４の中空部に配置される透光性部材２１２を介して光源自体の照射角度よりも相対的に狭い範囲に放出され得る。
【０１８７】
これに伴い、使用者の皮膚、特に顔に近接した状態で光源３００が作動しても光源３００から発生した光がケアが必要な皮膚側に狭い範囲に放出されることによって、使用者の目に光が入ることを防止することができる。
【０１８８】
この時、前記光源３００は光源３００と皮膚の間の距離が既設定された範囲以内である場合にのみ点灯され、前記光源３００と皮膚の間の距離が既設定された範囲以上の場合には消灯され得る。
【０１８９】
これは、使用過程中に意図せず前記透光性部材２１２側が使用者の目に向かう場合、光源３００から放出される光に使用者の目が直接的に露出することを防止することによって、使用者の目が損傷することを未然に防止するためである。
【０１９０】
このために、前記光源３００が実装される回路基板２４２上には少なくとも一つの近接センサ２４６が備えられることによって、前記光源３００と皮膚の間の距離を感知して光源３００の点灯および消灯を制御することができる。
【０１９１】
ここで、前記近接センサ２４６は複数個で備えられ得、互いに隣り合う光源３００の間に配置されてもよく、最外郭に配置される光源３００の外側に配置されてもよい。
【０１９２】
併せて、前記光源３００は前記二つの接触電極１２１、１２２が使用者の皮膚にすべて接触した状態と前記光源３００および皮膚の間の距離が既設定された範囲以内である場合をいずれも満足する場合にのみ、初期点灯がなされ得る。
【０１９３】
これは、使用者がケアしようとする身体部位に移動する過程で光源３００と皮膚の間の距離が既設定された範囲以内の近接距離に位置しても、使用者の皮膚との接触の有無を感知して初期点灯を制御することによって、使用者が最終的にケアを所望する正確な位置に移動した状態で初期点灯がなされ得るようにするためである。これを通じて、使用者の意図にかかわらず、光源３００が急に作動することを防止することができる。
【０１９４】
一方、前記透光性部材２１２は前記ボディー２１１と一体に形成されて前記光源３００の前方側に配置されることによって、外部環境から前記光源３００を保護して前記光源３００の点灯時に外部に放出される光から使用者の目を保護する役割を遂行することができる。併せて、前記透光性部材２１２は均一な光が外部に放出されるように前記光源３００で発生する光の拡散性を高める機能を遂行することもできる。
【０１９５】
このために、前記透光性部材２１２は前記光源３００で発生して外部に放出される光の強度を減らすことができるように所定の透過率を有するように備えられ得、均一な光を外部に放出することができるように光を拡散させる成分を含むことができる。
【０１９６】
一例として、前記透光性部材２１２は７０〜９０％の透過率を有することができ、好ましくは、透過率が７０〜９０％である光拡散ＰＣが使用され得る。ここで、前記透光性部材２１２の透過率を７０〜９０％と例示したがこれに限定されず、使用者の目を保護しながらも光の拡散性を高めることができるのであれば適切に調節され得る。
【０１９７】
また、前記ボディー２１１は光遮断物質が含まれることによって、前記光源３００で発生する光がボディー２１１を通じて外部に放出されることを遮断することができる。ここで、前記光遮断物質は公知のブラックレジンまたは黒色顔料であり得るがこれに限定されず、光を遮断して光漏れ現象を防止できる材料であればいずれも使用することができ、クロム（Ｃｒ）、金（Ａｕ）、銀（Ａｇ）、銅（Ｃｕ）およびプラチナ（Ｐｔ）のような金属性分を含むことによって、電磁波遮蔽性と光遮断効果を同時に実現することもできる。
【０１９８】
一方、前記皮膚美容機器１０００はボタン１４２の操作による光源の発光モードの変更、電源の供給／遮断、光源の点灯／消灯および近接センサ２４６により獲得された情報などを処理して全体的な駆動を制御するための制御部を含むことができる。
【０１９９】
このような制御部は、前述したイオントフォレシス装置１００で使用された制御部１３０が適用され得、前述した制御部１３０にボタン１４２の操作による光源の発光モードの変更、電源の供給／遮断、光源の点灯／消灯および近接センサ２４６により獲得された情報処理機能、タイマー機能などが含まれた形態であり得る。
【０２００】
併せて、前記制御部は近接センサ２４６を通じて獲得された皮膚と光源３００との距離により光源３００の動作状態および出力強度を調節したり接触電極１２１、１２２に印加される直流電流の大きさを適切に調節できるルックアップテーブルが保存され得る。
【０２０１】
また、前記皮膚美容機器１０００は前記ボタン１４２の操作と連動する通知部が備えられ得る。このような通知部は使用者が前記ボタン１４２を操作する場合、前記制御部を通じて駆動が制御されることによって、使用者がボタン１４２の操作の有無を容易に認識することができる。一例として、前記通知部は回路基板２４２と電気的に連結される振動手段２４７であり得、声を外部に出力するスピーカーのような音響出力手段（図示されず）であり得る。ここで、前記振動手段２４７は振動モーターでもよく、振動センサでもよい。
【０２０２】
すなわち、使用者が前記ボタン１４２を押す場合、前記ボタン１４２の後側に配置される回路基板１４４で伝達される信号を通じて制御部はボタン１４２の操作を認識し、前記通知部を駆動させることによって振動手段２４７を通じて一定時間の間振動を発生させたり声を外部に出力する。これに伴い、使用者はボタン１４２の操作を通じて電源のオン／オフおよび光源の発光モードの変更を容易に認識することによって、所望するモードに正確に変更することができる。
【０２０３】
ここで、通知部の出力パターンは各モードごとに互いに異なるパターンで出力され得る。一例として、振動手段２４７により発生する振動パターンの場合、第１発光モード、第２発光モード、第３発光モードでの選択および変更時の振動の強度および振動の持続時間のうち少なくともいずれか一つが互いに異なるパターンで出力され得、スピーカーを通じて声が出力される場合、それぞれのモードごとに固有の声が外部に出力され得る。
【０２０４】
一方、前記皮膚美容機器１０００は前記ケース部２１０の上部側に外部に露出する二つの接触電極１２１、１２２および透光性部材２１２を外部環境から保護できるように前記ケース部２１０と着脱可能に結合される天蓋２５０を含むこともできる。
【０２０５】
併せて、前記皮膚美容機器１０００は前記ケース部２１０の一側に外部に露出する充電端子２４８が備えられることによって、前記ケース部２１０の内部に配置されるバッテリーを簡便に充電することもできる。
【０２０６】
ここで、前記充電端子２４８は前記メイン回路基板２４４と電気的に連結されることによって、外部から供給される電源を利用して前記バッテリーを充電することができる。
【０２０７】
本発明に係るイオントフォレシス装置１００が前述した皮膚美容機器１０００に適用されるものと例示したが、前述した皮膚美容機器１０００の構造はこれに限定されず、光源３００が備えられた公知の多様な皮膚美容機器の構造に適切に採用され得る。
【０２０８】
また、前記イオントフォレシス装置１００を構成するための二つの接触電極１２１、１２２は、前記ケース部２１０の同一面上に離隔して配置される両極性方式で具現されてもよく、二つの接触電極１２１、１２２が互いに異なる位置に配置される形態で具現されてもよい。
【０２０９】
併せて、前述した実施例で言及した光源３００の場合、前述した皮膚美容機器１０００の他に光源３００が備えられた公知の多様な皮膚美容機器の構造に適切に採用され得、イオントフォレシス機能を使用しない公知の皮膚美容機器に単独で採用されてもよい。
【０２１０】
以上、本発明の一実施例について説明したが、本発明の思想は本明細書に提示される実施例に制限されず、本発明の思想を理解する当業者は同一思想の範囲内で、構成要素の付加、変更、削除、追加などによって他の実施例を容易に提案することができ、これも本発明の思想範囲内に属するものと言える。
【図１】
2020192386.tif 000004
【図２】
2020192386.tif 000005
【図３ａ】
2020192386.tif 000006
【図３ｂ】
2020192386.tif 000007
【図３ｃ】
2020192386.tif 000008
【図４】
2020192386.tif 000009
【図５】
2020192386.tif 000010
【図６】
2020192386.tif 000011
【図７】
2020192386.tif 000012
【図８】
2020192386.tif 000013
【図９】
2020192386.tif 000014
【図１０】
2020192386.tif 000015
【図１１】
2020192386.tif 000016
【図１２】
2020192386.tif 000017
【図１３】
2020192386.tif 000018
【図１４】
2020192386.tif 000019
【図１５】
2020192386.tif 000020
【図１６】
2020192386.tif 000021
【図１７】
2020192386.tif 000022
【図１８】
2020192386.tif 000023
【図１９】
2020192386.tif 000024
【手続補正書】
【提出日】令和2年9月18日(2020.9.18)
【手続補正１】
【補正対象書類名】特許請求の範囲
【補正対象項目名】全文
【補正方法】変更
【補正の内容】
【特許請求の範囲】
【請求項１】
上縁に沿って形成される装着面を備え、下部が開放されているケース部；
電源を供給する電源供給部；
皮膚に接触時に前記皮膚側に電流を流して使用者の皮膚に塗布したイオン性薬物や有効性分を電気反発力によって皮膚に浸透させる二つの電極；および
使用者が一定の強度の電気刺激を感じることができるように、使用者の皮膚の状態に応じて前記電極に印加する電圧および電流のうちいずれか一つの出力値を調節する制御部；を含み、
前記装着面は、前記ケース部の前記下部に対して所定の傾きを有する傾斜面であり、
前記二つの電極は、前記二つの電極と前記使用者の皮膚との接触時に前記二つの電極と前記使用者の皮膚との接触面積を広げ、前記使用者の皮膚と前記二つの電極間の自然な接触が行われるように、前記傾斜面に配置される、皮膚美容機器。
【請求項２】
前記制御部は、前記二つの電極と皮膚との接触の有無を確認して前記使用者の皮膚の状態を測定する感知部と、前記感知部を通じて測定された使用者の皮膚の状態を判断して全般の動作を制御する統合制御部および前記統合制御部で使用者の皮膚の状態によって出力される信号によって前記出力値を可変する出力発生部を含む、請求項１に記載の皮膚美容機器。
【請求項３】
前記出力発生部は、皮膚の表面の水分含有量、皮膚の厚さ、イオン性薬物や有効性分の有無および塗布されたイオン性薬物や有効性分の塗布厚さのうち少なくともいずれか一つによって可変される電圧値の変化量または電流値の変化量に基づいて前記出力値を調節する、請求項２に記載の皮膚美容機器。
【請求項４】
前記出力値は、前記電極に印加される電圧の大きさ、電流の大きさおよびパルス電流のデューティ比のうちいずれか一つが可変されて調節される、請求項３に記載の皮膚美容機器。
【請求項５】
前記制御部は、電源の印加時に前記感知部を通じて測定された電圧値または電流値の変化量が既設定された大きさ以上の場合、前記二つの電極と皮膚が接触したと判断してルックアップテーブルに保存された所定範囲の出力値を前記出力発生部を通じて出力する、請求項２に記載の皮膚美容機器。
【請求項６】
前記出力発生部を通じて出力される出力値は、前記感知部を通じて測定された電圧値の変化量または電流値の変化量と一対一にマッチングされる、請求項５に記載の皮膚美容機器。
【請求項７】
前記電極と皮膚との接触の有無を確認するために前記二つの電極に印加される電圧は、使用者の皮膚に塗布したイオン性薬物や有効性分を皮膚に浸透させるために前記二つの電極に印加される電圧よりも相対的に低い電圧である、請求項５に記載の皮膚美容機器。
【請求項８】
前記皮膚美容機器は、使用者の操作が可能なスイッチ部をさらに含み、
前記制御部は、前記スイッチ部の操作時に互いに異なる範囲の出力値を有する複数個の出力モードに変更される、請求項１に記載の皮膚美容機器。
【請求項９】
前記皮膚美容機器は、所定の波長帯域を有する光を発生させて使用者の皮膚側に照射する少なくとも一つの光源をさらに含む、請求項１に記載の皮膚美容機器。
【請求項１０】
前記少なくとも一つの光源は、互いに異なる波長帯域を有する複数個の発光素子が一体に形成される、請求項９に記載の皮膚美容機器。
【請求項１１】
上縁に沿って形成される装着面を備え、下部が開放されているケース部；
電源を供給する電源供給部；
皮膚に接触時に前記皮膚側に電流を流して使用者の皮膚に塗布したイオン性薬物や有効性分を電気反発力によって皮膚に浸透させる二つの電極；
使用者が一定の強度の電気刺激を感じることができるように、使用者の皮膚の状態に応じて前記電極に印加する電圧および電流のうちいずれか一つの出力値を調節する制御部；
前記ケース部の内部空間に配置されるフレーム部；
前記フレーム部に固定され、光源が実装される回路基板；
電気伝導性を有する材質で形成され、前記回路基板および前記二つの電極の間に配置される二つの弾性部材；および
前記フレーム部に結合された状態で前記ケース部の前記下部と着脱可能に結合されるキャップ部；を含み、
前記二つの電極は、前記キャップ部が前記ケース部に結合されると、前記二つの弾性部材を媒介として前記回路基板に電気的に連結される、皮膚美容機器。
【請求項１２】
前記二つの電極は、前記ケース部に一体に形成され、
前記弾性部材は、前記回路基板に実装される第１部分と、前記第１部分の端部から所定の角度で傾く第２部分を含み、
前記第２部分の一部は、前記キャップ部が前記ケース部と結合されると、前記二つの電極の下面と接触する、請求項１１に記載の皮膚美容機器。